(57)【要約】      （修正有）【課題】投影装置の起動時の電流を低減する。【解決手段】投影装置１は、画像を投影する投影部１１を有する投影装置１であって、投影部１１を照射する光を出力する発光部１２と、発光部１２に対して送風するファン１４ａと、ファン１４ａと異なる一以上のファン１４ｂ，１４ｃ，１４ｄ，１４ｅ，１４ｆ，１４ｇと、投影装置１が動作を開始した場合に、一以上のファン１４ｂ，１４ｃ，１４ｄ，１４ｅ，１４ｆ，１４ｇよりも前にファン１４ａの駆動を開始するように制御する送風制御部１７４と、を有する。【選択図】図１
2018132576.tif 000002
【特許請求の範囲】
【請求項１】
画像を投影する投影手段を有する投影装置であって、
前記投影手段を照射する光を出力する発光手段と、
前記発光手段に対して送風する第１送風手段と、
前記第１送風手段と異なる一以上の第２送風手段と、
前記投影装置が動作を開始した場合に、前記一以上の第２送風手段よりも前に前記第１送風手段の駆動を開始するように制御する送風制御手段と、
を有することを特徴とする投影装置。
【請求項２】
前記送風制御手段は、前記第１送風手段及び前記一以上の第２送風手段を駆動させるための駆動信号を前記第１送風手段及び前記一以上の第２送風手段に入力するタイミングを制御することにより、前記一以上の第２送風手段よりも前に前記第１送風手段の駆動を開始することを特徴とする、
請求項１に記載の投影装置。
【請求項３】
前記第１送風手段及び前記一以上の第２送風手段に電力を供給する電力供給手段をさらに有し、
前記送風制御手段は、前記投影装置が動作を開始した場合に、前記電力供給手段が前記一以上の第２送風手段よりも前に前記第１送風手段への電力供給を開始するように制御することを特徴とする、
請求項１又は２に記載の投影装置。
【請求項４】
前記一以上の第２送風手段が送風する対象となる複数の部位の温度を特定する温度特定手段をさらに有し、
前記送風制御手段は、前記温度特定手段が特定した前記複数の部位の温度に基づく順番に、前記一以上の第２送風手段の駆動を開始するように制御することを特徴とする、
請求項１から３のいずれか一項に記載の投影装置。
【請求項５】
前記送風制御手段は、前記温度特定手段が特定した温度が高い部位から順番に、前記一以上の第２送風手段が送風を開始するべく、前記一以上の第２送風手段の駆動を開始するように制御することを特徴とする、
請求項４に記載の投影装置。
【請求項６】
前記送風制御手段は、前記投影装置が動作を開始した時点で前記温度特定手段が特定した前記複数の部位の温度に基づく順番に、前記一以上の第２送風手段の駆動を開始するように制御することを特徴とする、
請求項４又は５に記載の投影装置。
【請求項７】
前記温度特定手段は、前記投影装置が動作を終了してから前記投影装置が動作を開始するまでに経過した時間に基づいて、前記一以上の第２送風手段が送風する対象となる部位の温度を特定することを特徴とする、
請求項４から６のいずれか一項に記載の投影装置。
【請求項８】
前記温度特定手段は、前記投影装置が動作を終了する直前の時点での動作を継続していた時間の長さにさらに基づいて、前記一以上の第２送風手段が送風する対象となる部位の温度を特定することを特徴とする、
請求項７に記載の投影装置。
【請求項９】
前記送風制御手段は、前記投影装置が温度異常に起因して動作を終了した後に動作を開始する場合に、前記第１送風手段よりも前に、前記一以上の第２送風手段のうち、温度異常が発生していた部位に送風する第２送風手段の駆動を開始するように制御することを特徴とする、
請求項１から８のいずれか一項に記載の投影装置。
【請求項１０】
前記送風制御手段は、前記一以上の第２送風手段のうち、起動電流が大きな送風手段から順番に駆動を開始するように制御することを特徴とする、
請求項１から９のいずれか一項に記載の投影装置。
【請求項１１】
前記送風制御手段は、起動電流の大きさに基づいて、前記第１送風手段及び前記一以上の第２送風手段の少なくともいずれかへの印加電圧の立ち上がり時間を制御することを特徴とする、
請求項１から１０のいずれか一項に記載の投影装置。
【請求項１２】
前記送風制御手段は、前記第１送風手段及び前記一以上の第２送風手段が使用する電力の合計値が、前記第１送風手段及び前記一以上の第２送風手段が使用可能な電力の最大値以下になるように、駆動を開始する順序を制御することを特徴とする、
請求項１から１１のいずれか一項に記載の投影装置。
【請求項１３】
前記送風制御手段は、前記第１送風手段及び前記一以上の第２送風手段に供給する電流の合計値が、前記第１送風手段及び前記一以上の第２送風手段に供給可能な電流の最大値以下になるように、駆動を開始する順序を制御することを特徴とする、
請求項１から１２のいずれか一項に記載の投影装置。
【請求項１４】
画像を投影する投影装置であって、
複数の送風手段と、
前記複数の送風手段が送風する対象となる部位の温度を特定する温度特定手段と、
前記投影装置が動作を開始した場合に、前記温度特定手段が特定した温度に基づく順番に前記複数の送風手段の駆動を開始するように制御する送風制御手段と、
を有することを特徴とする投影装置。
【請求項１５】
画像を投影する投影手段を有する投影装置において送風開始順序を制御する送風制御方法であって、
前記投影装置が動作を開始したことを特定するステップと、
前記投影装置が動作を開始したことを特定した場合に、前記投影手段を照射する光を出力する発光手段に対して送風する第１送風手段の駆動を開始した後に、前記第１送風手段と異なる一以上の第２送風手段の駆動を開始するステップと、
を有することを特徴とする送風制御方法。
【請求項１６】
画像を投影する投影装置において送風開始順序を制御する送風制御方法であって、
前記投影装置が動作を開始したことを特定するステップと、
複数の送風手段が送風する対象となる部位の温度を特定するステップと、
前記投影装置が動作を開始したことを特定した場合に、特定した温度に基づく順番に前記複数の送風手段の駆動を開始するように制御するステップと、
を有することを特徴とする送風制御方法。
【発明の詳細な説明】
【技術分野】
【０００１】
本発明は、画像を投影する投影装置、及び投影装置における送風制御方法に関するものである。
【背景技術】
【０００２】
画像をスクリーンに投影する投影装置は、筐体内に光源や基板上のＩＣ（Integrated Circuit）等の電気素子といった発熱体を有している。投影装置の光源や電気素子は、高寿命化や動作の安定化のために適切な冷却を行う必要があり、投影装置は複数のファンを搭載している。特許文献１には、複数のファンの動作を制御する技術が開示されている。
【先行技術文献】
【特許文献】
【０００３】
【特許文献１】特開２００９−３００４７９号公報
【発明の概要】
【発明が解決しようとする課題】
【０００４】
投影装置は、複数のファンを用いて冷却を行うことで効果的に内部を冷却することができる。しかしながら、ファンを起動する際にファンを流れる電流は、定常動作時にファンを流れる電流よりも大きいので、投影装置の起動時に複数のファンを同時に起動すると、ファンに供給する電流が、定常動作時よりもはるかに大きくなる。その結果、投影装置の電源は、投影装置の起動時の最大電流に基づいて、定格電流の大きな部品で構成する必要があり、電源のコストやサイズが大きいという問題があった。
【０００５】
そこで、本発明は上述した点に鑑みてなされたものであり、投影装置の起動時の電流を低減することを目的とする。
【課題を解決するための手段】
【０００６】
上記の課題を解決するために、本発明の第１の態様の投影装置は、画像を投影する投影手段を有する投影装置であって、前記投影手段を照射する光を出力する発光手段と、前記発光手段に対して送風する第１送風手段と、前記第１送風手段と異なる一以上の第２送風手段と、前記投影装置が動作を開始した場合に、前記一以上の第２送風手段よりも前に前記第１送風手段の駆動を開始するように制御する送風制御手段と、を有することを特徴とする。
【０００７】
本発明の第２の態様の投影装置は、画像を投影する投影装置であって、複数の送風手段と、前記複数の送風手段が送風する対象となる部位の温度を特定する温度特定手段と、前記投影装置が動作を開始した場合に、前記温度特定手段が特定した温度に基づく順番に前記複数の送風手段の駆動を開始するように制御する送風制御手段と、を有することを特徴とする。
【０００８】
本発明の第３の態様の送風制御方法は、画像を投影する投影手段を有する投影装置において送風開始順序を制御する送風制御方法であって、前記投影装置が動作を開始したことを特定するステップと、前記投影装置が動作を開始したことを特定した場合に、前記投影手段を照射する光を出力する発光手段に対して送風する第１送風手段の駆動を開始した後に、前記第１送風手段と異なる一以上の第２送風手段の駆動を開始するステップと、を有することを特徴とする。
【０００９】
本発明の第４の態様の送風制御方法は、画像を投影する投影装置において送風開始順序を制御する送風制御方法であって、前記投影装置が動作を開始したことを特定するステップと、複数の送風手段が送風する対象となる部位の温度を特定するステップと、前記投影装置が動作を開始したことを特定した場合に、特定した温度に基づく順番に前記複数の送風手段の駆動を開始するように制御するステップと、を有することを特徴とする。
【発明の効果】
【００１０】
本発明によれば、投影装置の起動時の電流を低減することができるという効果を奏する。
【図面の簡単な説明】
【００１１】
【図１】投影装置の構成を示す成図である。
【図２】送風制御部の動作について説明するための図である。
【図３】投影装置が起動する動作のフローチャートである。
【図４】通常シーケンスにおける複数のファンを起動する動作のフローチャートである。
【図５】異常シーケンスにおける複数のファンを起動する動作のフローチャートである。
【図６】印加電圧の立ち上げ時間と起動電流との関係を説明するための図である。
【図７】起動電流の大きさと起動タイミングとの関係を説明するための図である。
【図８】第２の実施形態に係る投影装置の構成を示す図である。
【発明を実施するための形態】
【００１２】
＜第１の実施形態＞
［投影装置１の構成］
図１は、投影装置１の構成を示す図である。投影装置１は、例えば、コンピュータ又は記憶媒体等から入力された画像をスクリーンに投影するプロジェクタである。
【００１３】
投影装置１は、投影部１１と、発光部１２と、表示部１３と、複数のファン１４と、電源１５と、電力供給部１６と、制御基板１７とを有する。制御基板１７には、記憶部１７１と、制御部１７２とが実装されている。制御部１７２は、例えばＣＰＵ（Central Processing Unit）であり、記憶部１７１に記憶されたプログラムを実行することにより投影装置１の各動作ブロックを制御する制御手段である。
【００１４】
投影部１１は、画像を投影する投影手段として機能する。投影部１１は、パネル部１１１及び光学部１１２を含む。パネル部１１１は、例えば複数の液晶パネル、色分離素子及び偏光分離素子により構成された色分解光学系を含む。液晶パネルは、例えば透過型液晶パネル又は反射型液晶パネルである。パネル部１１１は、発光部１２が発する白色光を、色分解光学系により複数の色光に分解し、分解した複数の色光を複数の液晶パネルに入射する。パネル部１１１は、制御部１７２の制御信号に基づいて、液晶パネルの画素ごとに入射した色光を画像光に変調する。なお、パネル部１１１は、液晶パネルに代えて、他の表示素子であってもよい。
【００１５】
光学部１１２は、例えば投影レンズを含む複数のレンズと、レンズ駆動用のアクチュエータと、偏光分離素子等により構成された色合成光学系とを含む。光学部１１２は、色合成光学系によりパネル部１１１が出力した複数の色の画像光を１つに合成したフルカラー画像光を生成する。光学部１１２は、投影レンズを介してフルカラー画像光を投影面に拡大投影する。
【００１６】
発光部１２は、投影部１１を照射する光を出力する発光手段として機能する。発光部１２は、例えば、例えば超高圧水銀ランプ、キセノンランプである。発光部１２は、他の放電発光ランプであってもよい。また、発光部１２は、発光ダイオード（ＬＥＤ）やレーザダイオード（ＬＤ）などの半導体を利用した光源（固体光源）であってもよい。
【００１７】
表示部１３は、投影装置１を操作するための操作画面を表示する。表示部１３は、例えば、液晶ディスプレイ、ＣＲＴディスプレイ、有機ＥＬディスプレイ、ＬＥＤディスプレイである。また、表示部１３は、一以上のＬＥＤ表示灯であってもよく、例えばＬＥＤの色、発光している数によって、自機の状態を表示するものであってもよい。
【００１８】
ファン１４ａは、発光部１２に対して送風する第１送風手段である。ファン１４ｂ〜１４ｇは、ファン１４ａと異なる一以上の第２送風手段である。
【００１９】
ファン１４ａは、発光部１２を冷却するために、発光部１２において発熱量が最も大きい領域に送風できる位置に設けられている。発光部１２がランプである場合、ファン１４ａは、ランプの近傍の位置に設けられる。発光部１２が発光ダイオードやレーザダイオードなどの半導体を利用した固体光源である場合、固体光源からの光の照射を受ける蛍光体における発熱量が最も大きいので、ファン１４ａは、蛍光体の近傍の位置に設けられる。
【００２０】
ファン１４ｂ〜１４ｇは、それぞれ近傍の部位に対して送風する。具体的には、ファン１４ｂは光学部１１２の近傍に設けられており、光学部１１２に送風する。以下同様に、ファン１４ｃはパネル部１１１に、ファン１４ｄは電源１５に、ファン１４ｅは制御基板１７に実装された各種ＩＣに送風する。
【００２１】
ファン１４ｆは、投影装置１の筐体内に外気を吸い込む吸気ファンである。ファン１４ｇは、投影装置１の筐体内の内気を外部に排出する排気ファンである。投影装置１は、吸気ファンであるファン１４ｆから外気を取り入れ、排気ファンであるファン１４ｇから内気を排出することで筐体内の空気を入れ替え、筐体内の温度を下げることができる。
【００２２】
電源１５は、投影装置１の各部に電力を供給する。電源１５は、例えば電力供給部１６に電力を供給することにより、複数のファン１４に駆動用の電力を供給する。
【００２３】
電力供給部１６は、複数のファン１４を駆動するための電力を供給する。電力供給部１６は、例えば、電源１５から入力される電圧を降圧又は昇圧することにより駆動電圧を発生させるＤＣ／ＤＣコンバータを有している。電力供給部１６は、複数のファン１４に電力を供給するために、例えば、複数のファン１４のそれぞれに対応するＤＣ／ＤＣコンバータを有する。一つのＤＣ／ＤＣコンバータが、複数のファン１４に電力を供給してもよい。それぞれのＤＣ／ＤＣコンバータには、送風制御部１７４が出力する制御信号が入力され、ＤＣ／ＤＣコンバータは、制御信号に基づいて、複数のファン１４それぞれに電力を供給するか否かを制御することができる。
【００２４】
記憶部１７１は、制御基板１７上に実装された、例えばＲＯＭ（Read Only Memory）及びＲＡＭ（Random Access Memory）である。記憶部１７１は、制御部１７２が実行するプログラムを記憶する。また、記憶部１７１は、映像データ及び画像データを記憶する。なお、記憶部１７１は、制御基板１７上に実装されたＲＯＭ、ＲＡＭの他に、ハードディスクなどの記憶媒体を含んでもよい。
【００２５】
制御部１７２は、記憶部１７１に記憶されたプログラムを実行することで、温度特定部１７３及び送風制御部１７４として機能する。
温度特定部１７３は、複数のファン１４が送風する対象となる複数の部位の温度を特定する温度特定手段として機能する。温度特定部１７３は、例えば、複数のファン１４それぞれが送風する対象となる複数の部位の近傍に設けられた複数の温度センサー（不図示）が出力する温度検出信号に基づいて、複数の部位の温度を特定する。温度特定部１７３は、特定した温度を送風制御部１７４に通知する。また、温度特定部１７３は、特定した部位の温度が閾値より大きい場合、エラー情報を表示部１３に表示させる。
【００２６】
送風制御部１７４は、複数のファン１４の動作を制御する送風制御手段として機能する。送風制御部１７４は、複数のファン１４を駆動するための駆動信号を出力する。駆動信号は、例えばＰＷＭ（Pulse Width Modulation）信号又は直流信号である。また、送風制御部１７４は、電力供給部１６が複数のファン１４に電力を供給するか否かを制御する。
【００２７】
図１においては、一つの駆動信号が全てのファン１４に入力されているが、送風制御部１７４は、複数のファン１４を制御するための複数の駆動信号を生成する。送風制御部１７４は、生成した複数の駆動信号を、対応する複数のファン１４に対して出力する。送風制御部１７４は、例えば、複数のファン１４に駆動信号を入力することにより、複数のファン１４の動作を制御する。具体的には、送風制御部１７４は、投影装置１の電源スイッチがオン状態になり投影装置１が動作を開始した場合に、ファン１４ｂ〜１４ｇよりも前にファン１４ａに駆動信号を入力することにより、ファン１４ｂ〜１４ｇよりも前にファン１４ａの駆動を開始するように制御する。
［送風制御部１７４の動作］
図２は、送風制御部１７４の動作について説明するための図である。
一般的に、ファンが起動する際には、過渡的に流れる大きな電流である起動電流が流れ、回転数の上昇とともに電流値が下降し、最終的に回転数に応じた定常的な電流値に落ち着くというように電流値が変化する。図２において、横軸は経過時間を示し、縦軸は電流の大きさを示す。
【００２８】
図２（ａ）は、例えば発光部１２に送風するファン１４ａのみを起動した場合に、電力供給部１６に流れる電流を示す。図２（ｂ）は、ファン１４ａよりも起動電流が大きなファン１４ｈのみを起動した場合に、電力供給部１６に流れる電流を示す。図２（ｃ）は、ファン１４ａよりも起動電流が小さなファン１４ｄのみを起動した場合に、電力供給部１６に流れる電流を示す。図２（ａ）から図２（ｃ）で示すように、ファンの電流は、起動時に起動電流が流れた後に、時間の経過とともに一定値に収束するように変化する。
【００２９】
複数のファン１４が同時に起動すると、起動電流が流れるタイミングが重なり合い、電力供給部１６に流れる電流は、複数のファン１４の起動電流が足し合された値となる。図２（ｄ）の破線は、ファン１４ａと、ファン１４ｄと、ファン１４ｈとを同時に起動した場合に、電力供給部１６が出力する電流を示す。図２（ｄ）の破線で示すように、電力供給部１６に流れる電流の最大値は、非常に大きな値になっている。
【００３０】
本実施形態においては、送風制御部１７４が、まず、発光部１２に送風するファン１４ａを起動し、続いて他の複数のファン１４を起動するように制御する。図２（ｄ）の実線は、送風制御部１７４が、まずファン１４ａを起動し、次にファン１４ｈを起動し、そしてファン１４ｄを起動した場合に、電力供給部１６が出力する電流を示している。図２（ｄ）の実線で示した電流は、図２（ｄ）の破線で示した電流に比べて、最大値が小さくなっている。
【００３１】
このようにすることで、投影装置１は、動作の開始時に全てのファン１４に同時に電力が供給されないので、起動時の電流を低減することができる。さらに、投影装置１は、冷却に長時間を要する部位から送風を開始することで、画像の投影を開始する時間が遅延することなく、起動時の電流を低減することができる。なお、送風制御部１７４は、ファン１４ｂ〜１４ｈの一部を同時に起動するようにしてもよい。送風制御部１７４は、同時に動作するファン１４に供給する電流の合計値が、単体での起動電流が最も大きいファン１４の起動電流以下である範囲で、２台以上のファン１４を同時に起動してもよい。
【００３２】
送風制御部１７４は、温度特定部１７３が特定した複数の部位の温度に基づく順番にファン１４ｂ〜１４ｇの駆動を開始するように制御してもよい。具体的には、送風制御部１７４は、投影装置１が動作を開始した時点で温度特定部１７３が特定した温度が高い部位から順番に、ファン１４ｂ〜１４ｇが送風を開始するべく、ファン１４ｂ〜１４ｇの駆動を開始するように制御する。このようにすることで、送風制御部１７４は、投影装置１が起動した時点での温度が高い部位から冷却を開始することができるので、投影装置１の内部の温度が、画像の投影を開始できる温度に下がるまでの時間を短縮することができる。
【００３３】
送風制御部１７４は、投影装置１が起動する前の状態に応じて、複数のファン１４の駆動を開始する順番を変更してもよい。例えば、送風制御部１７４は、投影装置１が温度異常に起因して動作を終了した後に動作を開始する場合に、電力供給手段がファン１４ａよりも前に、ファン１４ｂ〜１４ｇのうち、温度異常が発生していた部位に送風するファン１４ｂ〜１４ｇのいずれかの駆動を開始するように制御する。このようにすることで、送風制御部１７４は、温度異常が発生していた部位が冷却するまでの時間を短縮できるので、温度異常により画像を投影できない時間を短縮することができる。
【００３４】
また、送風制御部１７４は、複数のファン１４が使用する電力の合計値が、複数のファン１４が使用可能な電力の最大値以下になるように、駆動を開始する順序を制御する。使用可能な電力の最大値は、例えば電力供給部１６が供給可能な定格電力である。送風制御部１７４は、複数のファン１４に供給する電流の合計値が、複数のファン１４に供給可能な電流の最大値以下になるように、駆動を開始する順序を制御してもよい。複数のファン１４に供給可能な電流の最大値は、例えば、電力供給部１６が出力可能な定格電流である。
【００３５】
送風制御部１７４は、例えば、予め記憶部１７１に記憶された、複数のファン１４が使用する電力の合計値が、複数のファン１４が使用可能な電力の最大値以下になる順序で複数のファン１４を起動する。送風制御部１７４は、複数の部位の温度に基づいて決定した順序で複数のファン１４を起動した場合に複数のファン１４が使用する電力の合計値を計算した結果に基づいて、複数のファン１４を起動するタイミングを制御してもよい。送風制御部１７４は、例えば、複数のファン１４を起動する間隔が短いことで、電力の合計値が使用可能な電力の最大値を超えてしまう場合に、電力の合計値が使用可能な電力の最大値以下になる間隔で複数のファン１４を起動する。
【００３６】
［投影装置１の動作フローチャート］
図３は、投影装置１が起動する動作のフローチャートである。図３に示す動作は、制御部１７２が、記憶部１７１に記憶されたプログラムを実行して各動作ブロックを制御することにより実現される。
【００３７】
ステップＳ１において、制御部１７２は、投影装置１の電源ボタンが押されたかどうかを判定する。制御部１７２は、電源ボタンが押されたと判定し、投影装置１が動作を開始したことを特定すると、起動処理を開始する。具体的には、ステップＳ２において、温度特定部１７３が、複数のファン１４が送風する対象となる各部位の温度を特定する。ステップＳ３において、温度特定部１７３は、特定した温度が閾値よりも大きい高温部があるかどうかを判定する。高温部が無いと温度特定部１７３が判定した場合、制御部１７２は、ステップＳ４に処理を進めて、送風制御部１７４が通常シーケンスで複数のファン１４を起動する。制御部１７２は、複数のファン１４の起動が完了すると、ステップＳ６に進み、投影部１１及び発光部１２を制御して画像の投影を開始する。
【００３８】
ステップＳ３において、高温部があると温度特定部１７３が判定した場合、制御部１７２はステップＳ５に処理を進めて、送風制御部１７４が異常シーケンスで複数のファン１４を起動する。制御部１７２は、異常シーケンスの処理が終了して高温部がない状態になると、ステップＳ６に進み、投影部１１及び発光部１２を制御して画像の投影を開始する。
【００３９】
図４は、通常シーケンスにおける複数のファン１４を起動する動作のフローチャートである。通常シーケンスでは、まず、ステップＳ４１において、送風制御部１７４が、ファン１４ａを起動させる。次に、ステップＳ４２において、送風制御部１７４は、ファン１４ａを除く複数のファン１４のうち、起動電流の大きなファン１４から起動させる。そして、ステップＳ４３において、制御部１７２は、全てのファン１４の起動が完了したと判定すると、通常シーケンスを終了して、図３のステップＳ６に進む。
【００４０】
図５は、異常シーケンスにおける複数のファン１４を起動する動作のフローチャートである。異常シーケンスでは、まず、ステップＳ５１において、送風制御部１７４が、高温部を冷却するファン１４を起動させる。その後、送風制御部１７４は、ステップＳ５２において、他のファン１４を起動させる。例えば、送風制御部１７４は、温度特定部１７３が特定した温度が高い部位に送風するファンから順番に起動するように駆動信号を出力する。
【００４１】
続いて、ステップＳ５３において、温度特定部１７３は、高温部が十分に冷却されたかどうかを判定する。高温部の温度が閾値以下になったと温度特定部１７３が判定した場合（Ｓ５３においてＹｅｓ）、制御部１７２は、異常シーケンスの処理を終了して、図３のステップＳ６に進む。高温部が十分に冷却されていないと温度特定部１７３が判定した場合（Ｓ５３においてＮｏ）、ステップＳ５４において、制御部１７２は、高温部のファン１４を起動してから所定の時間が経過したかどうかを判定する。制御部１７２は、所定の時間が経過していない場合、ステップＳ５３に戻る。
【００４２】
制御部１７２は、ステップＳ５４において、送風を開始してから所定の時間が経過したと判定した場合、ステップＳ５５において高温部が存在していることを表示部１３に表示させる。このようにすることで、ユーザは、投影装置１が高温部を冷却中であり、起動時間が延びている理由を知ることができる。投影装置１は、温度特定部１７３が、ステップＳ５３において高温部が十分に冷却されたと判定するまでステップＳ５３からステップＳ５５までの処理を繰り返す。
【００４３】
（変形例１）
以上の説明において、送風制御部１７４は、複数のファン１４のそれぞれを起動するタイミングを制御したが、これに限らず、複数のファン１４への印加電圧を制御してもよい。送風制御部１７４は、例えば、ファン１４に入力する駆動信号を変化させることで、ファン１４を起動する場合に、ファン１４の回転数を低回転から徐々に回転数を上げながら起動することができる。このようにすることで、電力供給部１６は、ファン１４の起動時の起動電流を小さくすることができる。
【００４４】
送風制御部１７４は、起動電流の大きさに基づいて、複数のファン１４の少なくともいずれかへの印加電圧の立ち上がり時間を制御してもよい。具体的には、送風制御部１７４は、起動電流が閾値以上のファン１４への印加電圧の立ち上がり時間を長くするように電力供給部１６を制御する。
【００４５】
図６は、印加電圧の立ち上げ時間と起動電流との関係を説明するための図である。図６における実線は、ファンに流れる電流を示している。図６における破線は電力供給部１６がファンに印加する電圧を示している。図６において、横軸は経過時間を示し、縦軸は電圧及び電流の大きさを示す。図６（ａ）は、印加電圧の立ち上がり時間が短い場合の、印加電圧と起動電流との関係を示している。図６（ｂ）は、印加電圧の立ち上がり時間が長い場合の、印加電圧と起動電流との関係を示している。
【００４６】
図６に示す通り、印加電圧の立ち上がり時間が短い場合より、印加電圧の立ち上がり時間を長くした場合のほうが、起動電流の最大値が小さくなる。このように、送風制御部１７４が、ファン１４に印加する電圧の立ち上げ時間を長くすることで、当該ファン１４の起動電流を小さくすることができる。したがって、起動電流の最大値が小さくなり、電源１５の定格電力又は定格電流を小さくすることができる。
【００４７】
（変形例２）
以上の説明においては、送風制御部１７４が、温度特定部１７３が特定した温度に基づく順番にファン１４ｂ〜１４ｇを起動した。しかし、これに限らず、送風制御部１７４は、温度に基づく順番に代えて、複数のファン１４の起動電流の大きさに基づく順番に複数のファン１４を起動してもよい。具体的には、送風制御部１７４は、ファン１４ｂ〜１４ｇのうち、起動電流が大きなファンから順番に駆動を開始するように制御する。
【００４８】
図７は、起動電流の大きさと起動タイミングとの関係を説明するための図である。図７における実線は、ファン１４に流れる電流を示している。図７において、横軸は経過時間を示し、縦軸は電流の大きさを示す。図７（ａ）は、起動電流が大きなファン１４の起動時の電流の変化を示した図である。図７（ｂ）は、起動電流が中程度のファン１４の起動時の電流の変化を示した図である。図７（ｃ）は、起動電流が小さなファン１４の起動時の電流の変化を示した図である。
【００４９】
電力供給部１６が供給する電流値は、ファン１４を異なるタイミングで起動する場合、既に流れている電流値に、２番目以降に起動したファンの起動電流を足し合わせた電流値になる。よって、電力供給部１６が供給する電流値の最大値は、起動電流が大きいものから順番に起動した場合に、最も小さくなる。
【００５０】
図７（ｄ）は、起動電流が大きなファンから順番に起動した場合の、起動時の電流の変化を示した図である。図７（ｅ）は、起動電流が小さなファンから順番に起動した場合の、起動時の電流の変化を示した図である。図７（ｄ）と図７（ｅ）とを比較すると、図７（ｄ）における起動時の最大電流値が、図７（ｅ）における最大電流値よりも小さい。
【００５１】
このように、送風制御部１７４は、電力供給部１６の定格電流を超えない範囲において、起動電流が大きいものから順番に起動することで、定常的な電流値に収束する前に、複数のファン１４を起動させることができる。したがって、送風制御部１７４は、電力供給部１６に流れる起動電流を低減しつつ、全てのファン１４を起動させるまでの時間を短くすることができる。
【００５２】
（変形例３）
送風制御部１７４は、駆動信号を用いることなく、電力供給部１６が複数のファン１４に電力を供給するか否かを制御することのみによって、複数のファン１４を動作させるタイミングを制御してもよい。このように、送風制御部１７４は、複数のファン１４に駆動信号を入力するタイミング、及び電力供給部１６が複数のファン１４のそれぞれに電力供給を開始するタイミングの少なくともいずれかを調整することで、複数のファン１４のそれぞれを起動するタイミングを制御することができる。
【００５３】
［第１の実施形態における投影装置１の効果］
以上説明したように、第１の実施形態においては、投影装置１の送風制御部１７４は、投影装置１を起動する際に、複数のファン１４の起動タイミングをずらして起動する。このようにすることで、投影装置１の送風制御部１７４は、ファンの起動電流を小さくし、短い時間で起動することができる。また、送風制御部１７４は、発光部１２に送風するファン１４ａを最初に起動し、その後、他のファン１４ｂ〜１４ｇを順次起動する。このように、送風制御部１７４が、冷却の重要度が高い発光部１２に対する送風を早く開始することで、起動電流を低減しつつ、画像の投影開始可能なタイミングを早めることができる。
【００５４】
＜第２の実施形態＞
第１の実施形態においては、温度特定部１７３が、温度センサーが出力する信号に基づいて複数の部位の温度を特定した。第２の実施形態においては、温度特定部１７３が、ファンが送風する対象となる部位の温度を、投影装置１の前回の動作状況に基づいて特定する点で第１の実施形態と異なり、他の点で同じである。
【００５５】
図８は、第２の実施形態に係る投影装置２の構成を示す図である。投影装置２は、時刻を示す時刻情報を出力する時刻計測部１８及び電池１９をさらに有する点で、第１の実施形態に係る投影装置１と異なり、他の点で同じである。時刻計測部１８は、例えば時計ＩＣであり、投影装置２の電源が投入されていない状態においても、電池１９から供給される電力により動作することができる。
【００５６】
温度特定部１７３は、投影装置１が動作を終了してから投影装置１が動作を開始するまでに経過した時間に基づいて、ファン１４ｂ〜１４ｇが送風する対象となる部位の温度を特定する。具体的には、温度特定部１７３は、時刻計測部１８から取得した動作終了時刻を記憶部１７１内の不揮発性メモリ（例えばＥＥＰＲＯＭ（Electrically Erasable Programmable Read-Only Memory））に記憶させる。また、記憶部１７１は、投影装置１が動作を終了してからの経過時間と各部位の温度との関係を示す関係テーブルを記憶している。投影装置１が動作を終了してからの経過時間と各部位の温度との関係は、例えば、実験により予め特定されたものであり、記憶部１７１内の不揮発性メモリに格納されている。
【００５７】
温度特定部１７３は、投影装置１の電源が投入されると、記憶部１７１に記憶されている動作終了時刻を読み出す。また、温度特定部１７３は、動作終了時刻から現在時刻までの経過時間を算出する。温度特定部１７３は、記憶部１７１に記憶された関係テーブルを参照し、経過時間に対応する温度を特定することにより、投影装置１の電源が投入された時点での温度を特定する。
【００５８】
なお、投影装置１が動作を継続していた時間が長いと、投影装置１の各部への蓄熱量が大きいために、温度が低下しづらいと考えられる。そこで、温度特定部１７３は、投影装置１が動作を終了する直前の時点での動作を継続していた時間の長さにさらに基づいて、ファン１４ｂ〜１４ｇが送風する対象となる部位の温度を特定してもよい。この場合、温度特定部１７３は、投影装置１が起動した時刻も記憶部１７１に記憶させておく。また、記憶部１７１は、投影装置１が動作を継続していた時間と、動作を終了してからの経過時間と、各部位の温度との関係を記憶しておく。温度特定部１７３は、投影装置１の電源が投入されると、記憶部１７１に記憶されている、前回の動作開始時刻と動作終了時刻とに基づいて、前回の動作継続時間を算出する。そして、温度特定部１７３は、記憶部１７１に記憶された動作継続時間と、経過時間と、温度低下速度との関係を参照し、投影装置１の電源が投入された時点での温度を特定する。
【００５９】
［第２の実施形態における投影装置２の効果］
以上説明した通り、第２の実施形態の投影装置２においては、温度特定部１７３が、温度を実測することなく各部位の温度を特定することができるので、温度センサーを設けることが不要になる。
【００６０】
＜第３の実施形態＞
以上の説明において、投影装置１及び投影装置２の送風制御部１７４は、まず発光部１２に送風するファン１４ａから起動し、温度特定部１７３が特定した温度に基づいてファン１４ｂ〜１４ｇを起動した。しかし、送風制御部１７４は、ファン１４ａを最初に起動することなく、ファン１４ａを含む全てのファン１４を、温度特定部１７３が特定した温度に基づいて複数のファン１４を起動してもよい。例えば、送風制御部１７４は、投影装置１が動作を開始したことを特定した場合に、温度特定部１７３が特定した温度に基づく順番に複数のファン１４の駆動を開始するように制御する。具体的には、送風制御部１７４は、投影装置１が動作を開始した場合に、温度特定部１７３が特定した温度が高い部位に送風するファン１４から順番に複数のファン１４の駆動を開始するように制御する。また、送風制御部１７４は、全てのファン１４を、起動電流が大きな順番に起動してもよい。
【００６１】
［第３の実施形態における投影装置１、２の効果］
以上説明した通り、第３の実施形態の投影装置１及び投影装置２は、送風制御部１７４が、温度特定部１７３が特定した温度に基づいて決定した順番に複数のファン１４を起動する。このようにすることで、送風制御部１７４は、例えば、温度が高い部位から送風を開始することで、起動電流を低減しつつ、温度が高い部位を迅速に冷却することが可能になる。
【００６２】
以上、本発明の実施の形態、およびいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また本発明の技術的範囲は上記実施の形態に記載の範囲には限定されず、その要旨の範囲内で種々の変形及び変更が可能である。例えば、上記の説明においては、送風制御部１７４が、電力供給部１６が複数のファン１４に電力を供給するタイミングを制御できる場合について説明したが、送風制御部１７４が電力供給部１６を制御しないでもよい。
【符号の説明】
【００６３】
１・・・投影装置
１１・・・投影部
１２・・・発光部
１４・・・ファン
１６・・・電力供給部
１７３・・・温度特定部
１７４・・・送風制御部
【図１】
2018132576.tif 000003
【図２】
2018132576.tif 000004
【図３】
2018132576.tif 000005
【図４】
2018132576.tif 000006
【図５】
2018132576.tif 000007
【図６】
2018132576.tif 000008
【図７】
2018132576.tif 000009
【図８】
2018132576.tif 000010